(57)【要約】【課題】大口径でありながら、高速フォーカスが可能なインナーフォーカスレンズ、交換レンズ装置及びカメラシステムを提供する。【解決手段】物体側から像側へと順に、正のパワーを有する第１レンズ群と、負のパワーを有する第２レンズ群と、正のパワーを有する第３レンズ群とからなり、第２レンズ群を光軸に沿って移動させることにより無限遠物体側から近距離物体側へのフォーカシングを行い、第１レンズ群が両凸形状の空気レンズを含み、条件：０．６５＜｜ｆ2／f｜＜５．００及び０．５＜ｆ23／ｆ1＜９．０（ｆ2：第２レンズ群の焦点距離、ｆ：全系の無限遠合焦状態での焦点距離、ｆ23：第２レンズ群と第３レンズ群との無限遠合焦状態での合成焦点距離、ｆ1：第１レンズ群の焦点距離）を満足するインナーフォーカスレンズ、交換レンズ装置及びカメラシステム。【選択図】図１
2012226309.tif 000002
【特許請求の範囲】
【請求項１】
物体側から像側へと順に、正のパワーを有する第１レンズ群と、負のパワーを有する第２レンズ群と、正のパワーを有する第３レンズ群とからなり、
前記第２レンズ群を光軸に沿って移動させることにより、無限遠物体側から近距離物体側へのフォーカシングを行い、
前記第１レンズ群が、両凸形状の空気レンズを含み、
以下の条件（１）及び（２）を満足する、インナーフォーカスレンズ：
０．６５＜｜ｆ2／f｜＜５．００  ・・・（１）
０．５＜ｆ23／ｆ1＜９．０  ・・・（２）
ここで、
ｆ2：第２レンズ群の焦点距離、
ｆ：全系の無限遠合焦状態での焦点距離、
ｆ23：第２レンズ群と第３レンズ群との無限遠合焦状態での合成焦点距離、
ｆ1：第１レンズ群の焦点距離
である。
【請求項２】
以下の条件（３）を満足する、請求項１に記載のインナーフォーカスレンズ：
−０．５＜ＳＦ＜０．５  ・・・（３）
ここで、
ＳＦ＝（Ｒａ＋Ｒｂ）／（Ｒｂ−Ｒａ）、
Ｒａ：第１レンズ群に含まれる両凸形状の空気レンズの、物体側面の曲率半径、
Ｒｂ：第１レンズ群に含まれる両凸形状の空気レンズの、像側面の曲率半径
である。
【請求項３】
第２レンズ群が、負のパワーを有する単一ユニットで構成される、請求項１に記載のインナーフォーカスレンズ。
【請求項４】
負のパワーを有する単一ユニットが、負のパワーを有する単レンズ素子１枚で構成される、請求項３に記載のインナーフォーカスレンズ。
【請求項５】
以下の条件（４）を満足する、請求項１に記載のインナーフォーカスレンズ：
０．０２＜Ｄ2／｛ｆ×ｔａｎ（ω）｝＜０．３０  ・・・（４）
ここで、
Ｄ2：第２レンズ群の光軸上での厚み、
ｆ：全系の無限遠合焦状態での焦点距離、
ω：全系の無限遠合焦状態での半画角（°）
である。
【請求項６】
軸上光束を規制するための開口絞りをさらに有し、以下の条件（５）を満足する、請求項１に記載のインナーフォーカスレンズ：
０．５＜ｆsb／ｆ＜３．０  ・・・（５）
ここで、
ｆsb：開口絞りよりも像側に位置するレンズ素子の、無限遠合焦状態での合成焦点距離、
ｆ：全系の無限遠合焦状態での焦点距離
である。
【請求項７】
以下の条件（６）を満足する、請求項１に記載のインナーフォーカスレンズ：
０．２＜｜（１−β2）×β3｜＜０．９  ・・・（６）
ここで、
β2：第２レンズ群の無限遠合焦状態での横倍率、
β3：第３レンズ群の無限遠合焦状態での横倍率
である。
【請求項８】
請求項１に記載のインナーフォーカスレンズと、
前記インナーフォーカスレンズが形成する光学像を受光して電気的な画像信号に変換する撮像素子を含むカメラ本体との接続が可能なレンズマウント部と
を備える、交換レンズ装置。
【請求項９】
請求項１に記載のインナーフォーカスレンズを含む交換レンズ装置と、
前記交換レンズ装置とカメラマウント部を介して着脱可能に接続され、前記インナーフォーカスレンズが形成する光学像を受光して電気的な画像信号に変換する撮像素子を含むカメラ本体と
を備える、カメラシステム。
【発明の詳細な説明】
【技術分野】
【０００１】
本発明は、インナーフォーカスレンズ、交換レンズ装置及びカメラシステムに関する。詳しくは、本発明は、デジタル一眼レフレックスカメラ又は銀塩フィルム用一眼レフレックスカメラに装着可能な交換レンズ装置、デジタルスチルカメラ、カムコーダ等に好適なインナーフォーカスレンズ、該インナーフォーカスレンズを含む交換レンズ装置及びカメラシステムに関する。
【背景技術】
【０００２】
近年の固体撮像素子の高画素化に伴い、それに用いられる撮像光学系としてより高性能な光学系が求められており、しかもＦナンバーが小さい明るいレンズが求められている。また、フォーカスの高速化や、フォーカス時の像ゆれの小さなレンズの要求も高い。さらには、光学系に対する小型化や低コスト化の要求も高く、少ないレンズで光学系を構成することが必要とされてきている。
【０００３】
このような要求に応えるべく、例えば特許文献１に開示されるように、物体側から順に正の屈折力を有する前群と、正の屈折力を有する後群とで構成された、いわゆるガウスタイプのレンズ系で、後群中の正レンズ群でフォーカスを行うレンズ系が提案されている。このガウスタイプのレンズ系は、大口径でありながら収差補正を容易に行うことが可能である。
【先行技術文献】
【特許文献】
【０００４】
【特許文献１】特開昭５０−１３８８２３号公報
【発明の概要】
【発明が解決しようとする課題】
【０００５】
しかしながら、前記特許文献１に開示されたレンズ系では、後群中の正レンズ群でフォーカスを行うため、フォーカス時に正レンズ群の移動量の増加が避けられず、近年要求される高速フォーカスが実現されたものではない。
【０００６】
本発明の目的は、大口径でありながら、高速フォーカスが可能なインナーフォーカスレンズ、該インナーフォーカスレンズを含む交換レンズ装置及びカメラシステムを提供することである。
【課題を解決するための手段】
【０００７】
上記目的の１つは、以下のインナーフォーカスレンズにより達成される。すなわち本発明は、
物体側から像側へと順に、正のパワーを有する第１レンズ群と、負のパワーを有する第２レンズ群と、正のパワーを有する第３レンズ群とからなり、
前記第２レンズ群を光軸に沿って移動させることにより、無限遠物体側から近距離物体側へのフォーカシングを行い、
前記第１レンズ群が、両凸形状の空気レンズを含み、
以下の条件（１）及び（２）：
０．６５＜｜ｆ2／f｜＜５．００  ・・・（１）
０．５＜ｆ23／ｆ1＜９．０  ・・・（２）
（ここで、
ｆ2：第２レンズ群の焦点距離、
ｆ：全系の無限遠合焦状態での焦点距離、
ｆ23：第２レンズ群と第３レンズ群との無限遠合焦状態での合成焦点距離、
ｆ1：第１レンズ群の焦点距離
である）
を満足する、インナーフォーカスレンズ
に関する。
【０００８】
上記目的の１つは、以下の交換レンズ装置により達成される。すなわち本発明は、
物体側から像側へと順に、正のパワーを有する第１レンズ群と、負のパワーを有する第２レンズ群と、正のパワーを有する第３レンズ群とからなり、
前記第２レンズ群を光軸に沿って移動させることにより、無限遠物体側から近距離物体側へのフォーカシングを行い、
前記第１レンズ群が、両凸形状の空気レンズを含み、
以下の条件（１）及び（２）：
０．６５＜｜ｆ2／f｜＜５．００  ・・・（１）
０．５＜ｆ23／ｆ1＜９．０  ・・・（２）
（ここで、
ｆ2：第２レンズ群の焦点距離、
ｆ：全系の無限遠合焦状態での焦点距離、
ｆ23：第２レンズ群と第３レンズ群との無限遠合焦状態での合成焦点距離、
ｆ1：第１レンズ群の焦点距離
である）
を満足するインナーフォーカスレンズと、
前記インナーフォーカスレンズが形成する光学像を受光して電気的な画像信号に変換する撮像素子を含むカメラ本体との接続が可能なレンズマウント部と
を備える、交換レンズ装置
に関する。
【０００９】
上記目的の１つは、以下のカメラシステムにより達成される。すなわち本発明は、
物体側から像側へと順に、正のパワーを有する第１レンズ群と、負のパワーを有する第２レンズ群と、正のパワーを有する第３レンズ群とからなり、
前記第２レンズ群を光軸に沿って移動させることにより、無限遠物体側から近距離物体側へのフォーカシングを行い、
前記第１レンズ群が、両凸形状の空気レンズを含み、
以下の条件（１）及び（２）：
０．６５＜｜ｆ2／f｜＜５．００  ・・・（１）
０．５＜ｆ23／ｆ1＜９．０  ・・・（２）
（ここで、
ｆ2：第２レンズ群の焦点距離、
ｆ：全系の無限遠合焦状態での焦点距離、
ｆ23：第２レンズ群と第３レンズ群との無限遠合焦状態での合成焦点距離、
ｆ1：第１レンズ群の焦点距離
である）
を満足するインナーフォーカスレンズ、を含む交換レンズ装置と、
前記交換レンズ装置とカメラマウント部を介して着脱可能に接続され、前記インナーフォーカスレンズが形成する光学像を受光して電気的な画像信号に変換する撮像素子を含むカメラ本体と
を備える、カメラシステム
に関する。
【発明の効果】
【００１０】
本発明によれば、少ないレンズ素子で構成されているにも係らず各収差の補正が良好になされ、かつ、フォーカス時にフォーカシングレンズ群の移動量が少なく、該フォーカシングレンズ群が軽量であり、大口径でありながら、高速フォーカスが可能なインナーフォーカスレンズ、該インナーフォーカスレンズを含む交換レンズ装置及びカメラシステムを提供することができる。
【図面の簡単な説明】
【００１１】
【図１】実施の形態１（実施例１）に係るインナーフォーカスレンズの無限遠合焦状態のレンズ配置図
【図２】実施例１に係るインナーフォーカスレンズの無限遠合焦状態の縦収差図
【図３】実施の形態２（実施例２）に係るインナーフォーカスレンズの無限遠合焦状態のレンズ配置図
【図４】実施例２に係るインナーフォーカスレンズの無限遠合焦状態の縦収差図
【図５】実施の形態３（実施例３）に係るインナーフォーカスレンズの無限遠合焦状態のレンズ配置図
【図６】実施例３に係るインナーフォーカスレンズの無限遠合焦状態の縦収差図
【図７】実施の形態４（実施例４）に係るインナーフォーカスレンズの無限遠合焦状態のレンズ配置図
【図８】実施例４に係るインナーフォーカスレンズの無限遠合焦状態の縦収差図
【図９】実施の形態５（実施例５）に係るインナーフォーカスレンズの無限遠合焦状態のレンズ配置図
【図１０】実施例５に係るインナーフォーカスレンズの無限遠合焦状態の縦収差図
【図１１】実施の形態６（実施例６）に係るインナーフォーカスレンズの無限遠合焦状態のレンズ配置図
【図１２】実施例６に係るインナーフォーカスレンズの無限遠合焦状態の縦収差図
【図１３】実施の形態７に係るレンズ交換式デジタルカメラシステムの概略構成図
【発明を実施するための形態】
【００１２】
本発明のインナーフォーカスレンズは、物体側から像側へと順に、正のパワーを有する第１レンズ群と、負のパワーを有する第２レンズ群と、正のパワーを有する第３レンズ群とからなり、該第２レンズ群を光軸に沿って移動させることにより、無限遠物体側から近距離物体側へのフォーカシングを行い、該第１レンズ群が、両凸形状の空気レンズを含んでいる。ここで、２枚のレンズ素子間の空気間隔を、屈折率が約１のレンズとみなし、該空気間隔を空気レンズと定義する。
【００１３】
本発明のインナーフォーカスレンズのレンズ構成においては、第１レンズ群の正のパワーの光束収束作用により、フォーカシングレンズ群である第２レンズ群のレンズ外径を小さくすることができる。これにより、フォーカシングレンズ群の軽量化が達成され、電気的レンズ駆動によるオートフォーカス機構でフォーカシングレンズ群を駆動させる際に、高速フォーカスが可能となる。
【００１４】
前記レンズ構成では、負のパワーを有し、フォーカシングレンズ群である第２レンズ群の物体側及び像側に、正のパワーを有する第１レンズ群及び正のパワーを有する第３レンズ群が配置されている。これにより、第２レンズ群の倍率を高めることができ、その結果、フォーカシングレンズ群の移動量が短縮され、電気的レンズ駆動によるオートフォーカス機構でフォーカシングレンズ群を駆動させる際に、高速フォーカスが可能となる。
【００１５】
前記レンズ構成では、負のパワーを有する第２レンズ群の像側に、正のパワーを有する第３レンズ群が配置されている。これにより、インナーフォーカスレンズのレンズバックを長くすることなく射出瞳位置を像面から離すことができる。その結果、固体撮像素子を有するカメラに該インナーフォーカスレンズを適用した場合に、固体撮像素子の前面に設けられているマイクロレンズの集光性能を充分に発揮させることが可能となる。
【００１６】
前記レンズ構成では、正のパワーを有する第１レンズ群が両凸形状の空気レンズを含んでいる。これにより、インナーフォーカスレンズは、大口径でありながら、少ないレンズ素子で球面収差、非点収差等の補正を容易に行うことができ、第１レンズ群中の残存収差をできる限り小さくすることが可能となる。その結果、フォーカシングレンズ群である第２レンズ群の収差補正の寄与が減少し、第２レンズ群を少ないレンズ素子で構成することができ、フォーカシングレンズ群の軽量化及びインナーフォーカスレンズの小型化が達成される。
【００１７】
前記レンズ構成では、第２レンズ群が、例えば負のパワーを有する接合レンズ素子、負のパワーを有する単レンズ素子等の、負のパワーを有する単一ユニットで構成されることが好ましく、該負のパワーを有する単一ユニットが負のパワーを有する単レンズ素子１枚で構成されることがさらに好ましい。この場合、フォーカシングレンズ群のさらなる軽量化及びインナーフォーカスレンズのさらなる小型化が可能となる。
【００１８】
本発明のインナーフォーカスレンズは、以下の条件（１）を満足する。
０．６５＜｜ｆ2／f｜＜５．００  ・・・（１）
ここで、
ｆ2：第２レンズ群の焦点距離、
ｆ：全系の無限遠合焦状態での焦点距離
である。
【００１９】
前記条件（１）は、第２レンズ群の焦点距離とインナーフォーカスレンズ全系の焦点距離との比を規定する条件である。条件（１）の下限を下回ると、第２レンズ群のパワーが強くなり、第２レンズ群を少ないレンズ素子で構成することが困難となる。一方、条件（１）の上限を上回ると、第２レンズ群のパワーが弱くなり、フォーカス時の移動量が増加する。これにより、高速フォーカスやインナーフォーカスレンズの小型化の妨げとなる。
【００２０】
なお、さらに以下の条件（１）’及び（１）’’の少なくとも１つを満足することにより、前記効果をさらに奏功させることができる。
０．６８＜｜ｆ2／f｜  ・・・（１）’
｜ｆ2／f｜＜４．００  ・・・（１）’’
【００２１】
本発明のインナーフォーカスレンズは、前記条件（１）を満足すると同時に、以下の条件（２）を満足する。
０．５＜ｆ23／ｆ1＜９．０  ・・・（２）
ここで、
ｆ23：第２レンズ群と第３レンズ群との無限遠合焦状態での合成焦点距離、
ｆ1：第１レンズ群の焦点距離
である。
【００２２】
前記条件（２）は、第２レンズ群と第３レンズ群との合成焦点距離と、第１レンズ群の焦点距離との比を規定する条件である。条件（２）の下限を下回ると、第１レンズ群のパワーが弱くなり、第１レンズ群の大型化が避けられず、インナーフォーカスレンズの小型化の妨げとなる。一方、条件（２）の上限を上回ると、第２レンズ群と第３レンズ群との合成パワーが弱くなり、インナーフォーカスレンズの大口径化の妨げとなる。
【００２３】
なお、さらに以下の条件（２）’及び（２）’’の少なくとも１つを満足することにより、前記効果をさらに奏功させることができる。
１．５＜ｆ23／ｆ1  ・・・（２）’
ｆ23／ｆ1＜６．０  ・・・（２）’’
【００２４】
本発明のインナーフォーカスレンズにおいて、第１レンズ群が、物体側ａ面及び像側ｂ面を有する両凸形状の空気レンズを含んでおり、以下の条件（３）を満足することが好ましい。
−０．５＜ＳＦ＜０．５  ・・・（３）
ここで、
ＳＦ＝（Ｒａ＋Ｒｂ）／（Ｒｂ−Ｒａ）、
Ｒａ：第１レンズ群に含まれる両凸形状の空気レンズの、物体側ａ面の曲率半径、
Ｒｂ：第１レンズ群に含まれる両凸形状の空気レンズの、像側ｂ面の曲率半径
である。
【００２５】
条件（３）は、第１レンズ群に含まれる両凸形状の空気レンズの形状を規定する条件である。この条件（３）は、物体側ａ面の曲率半径の絶対値と像側ｂ面の曲率半径の絶対値とが近いことを意味している。条件（３）を満足することで、第１レンズ群中で発生する球面収差、非点収差等の各収差を少ないレンズ素子で良好に補正することができる。
【００２６】
なお、さらに以下の条件（３）’及び（３）’’の少なくとも１つを満足することにより、前記効果をさらに奏功させることができる。
−０．１＜ＳＦ  ・・・（３）’
ＳＦ＜０．２    ・・・（３）’’
【００２７】
本発明のインナーフォーカスレンズは、以下の条件（４）を満足することが好ましい。
０．０２＜Ｄ2／｛ｆ×ｔａｎ（ω）｝＜０．３０  ・・・（４）
ここで、
Ｄ2：第２レンズ群の光軸上での厚み、
ｆ：全系の無限遠合焦状態での焦点距離、
ω：全系の無限遠合焦状態での半画角（°）
である。
【００２８】
前記条件（４）は、第２レンズ群の光軸上での厚みと像高との比を規定する条件である。条件（４）の下限を下回ると、第２レンズ群の光軸上での厚みが小さくなり、レンズの製造難易度が高くなる。一方、条件（４）の上限を上回ると、第２レンズ群の光軸上での厚みが大きくなり、フォーカシングレンズ群の軽量化及びインナーフォーカスレンズの小型化の妨げとなる。
【００２９】
なお、さらに以下の条件（４）’及び（４）’’の少なくとも１つを満足することにより、前記効果をさらに奏功させることができる。
０．０５＜Ｄ2／｛ｆ×ｔａｎ（ω）｝  ・・・（４）’
Ｄ2／｛ｆ×ｔａｎ（ω）｝＜０．１５  ・・・（４）’’
【００３０】
本発明のインナーフォーカスレンズは、軸上光束を規制するための開口絞りをさらに有し、以下の条件（５）を満足することが好ましい。
０．５＜ｆsb／ｆ＜３．０  ・・・（５）
ここで、
ｆsb：開口絞りよりも像側に位置するレンズ素子の、無限遠合焦状態での合成焦点距離、
ｆ：全系の無限遠合焦状態での焦点距離
である。
【００３１】
条件（５）は、開口絞りよりも像側に位置するレンズ素子の無限遠合焦状態での合成焦点距離と、インナーフォーカスレンズ全系の無限遠合焦状態での焦点距離との比を規定する条件である。条件（５）の下限を下回ると、開口絞りよりも像側に位置するレンズ素子の合成パワーが強くなり、少ないレンズ素子でインナーフォーカスレンズを構成することが困難となり、インナーフォーカスレンズの小型化の妨げとなる。一方、条件（５）の上限を上回ると、開口絞りよりも像側に位置するレンズ素子の合成パワーが弱くなり、インナーフォーカスレンズの大口径化の妨げとなる。
【００３２】
なお、さらに以下の条件（５）’及び（５）’’の少なくとも１つを満足することにより、前記効果をさらに奏功させることができる。
０．７＜ｆsb／ｆ  ・・・（５）’
ｆsb／ｆ＜２．０  ・・・（５）’’
【００３３】
本発明のインナーフォーカスレンズは、以下の条件（６）を満足することが好ましい。
０．２＜｜（１−β2）×β3｜＜０．９  ・・・（６）
ここで、
β2：第２レンズ群の無限遠合焦状態での横倍率、
β3：第３レンズ群の無限遠合焦状態での横倍率
である。
【００３４】
条件（６）は、フォーカシングレンズ群の光軸と垂直方向の偏芯によって生じる、光軸のずれを規定する条件である。条件（６）の上限を上回ると、フォーカシングレンズ群の駆動中に発生する、該フォーカシングレンズ群の光軸と垂直方向のガタつきによって光軸のずれが大きくなる。すなわち、フォーカス中に画像が揺れる現象が顕著となり、像ゆれの小さなレンズの要求に応えることが困難となる。一方、条件（６）の下限を下回ると、第２レンズ群の倍率が１に近くなり、フォーカス時の移動量が大きくなってしまう。その結果、インナーフォーカスレンズの小型化及びフォーカスの高速化の妨げとなる。
【００３５】
なお、さらに以下の条件（６）’及び（６）’’の少なくとも１つを満足することにより、前記効果をさらに奏功させることができる。
０．４８＜｜（１−β2）×β3｜  ・・・（６）’
｜（１−β2）×β3｜＜０．８６  ・・・（６）’’
【００３６】
例えば以下に示す実施の形態１〜６に係るインナーフォーカスレンズは、前記条件（１）〜（６）すべてを満足するものである。このように複数の条件を満足するインナーフォーカスレンズの構成が最も望ましいが、個別の条件を満足することにより、それぞれ対応する効果を奏するインナーフォーカスレンズを得ることも可能である。
【００３７】
（実施の形態１〜６）
次に、本発明のインナーフォーカスレンズの具体的な実施の形態を、図面を参照して説明する。
【００３８】
なお、各図において、特定の面に付されたアスタリスク＊は、該面が非球面であることを示している。各レンズ群の符号に付された記号（＋）及び記号（−）は、各レンズ群のパワーの符号に対応する。レンズ群に付された矢印は、無限遠物体側から近距離物体側へのフォーカシングの際の移動方向を示している。また、最も右側に記載された直線は、像面Ｓの位置を表す。
【００３９】
図１は、実施の形態１に係るインナーフォーカスレンズの無限遠合焦状態のレンズ配置図である。
【００４０】
実施の形態１に係るインナーフォーカスレンズは、物体側から像側へと順に、正のパワーを有する第１レンズ群Ｇ１と、負のパワーを有する第２レンズ群Ｇ２と、正のパワーを有する第３レンズ群Ｇ３とからなる。実施の形態１に係るインナーフォーカスレンズは、前記条件（１）〜（６）を満足する。
【００４１】
第１レンズ群Ｇ１は、物体側から像側へと順に、物体側に凸面を向けた正メニスカス形状の第１レンズ素子Ｌ１と、像側に強い曲率の凹面を有する負メニスカス形状の第２レンズ素子Ｌ２と、開口絞りＡと、物体側に強い曲率の凹面を有する両凹形状の第３レンズ素子Ｌ３と両凸形状の第４レンズ素子Ｌ４との接合レンズ素子と、像側面が非球面である両凸形状の第５レンズ素子Ｌ５とで構成される。該第１レンズ群Ｇ１では、第２レンズ素子Ｌ２と第３レンズ素子Ｌ３との間が、両凸形状の空気レンズである。
【００４２】
第２レンズ群Ｇ２は、両面が非球面であり、像側に強い曲率の凹面を有する両凹形状の第６レンズ素子Ｌ６のみで構成される。該第２レンズ群Ｇ２を光軸に沿って像側へ移動させることにより、無限遠物体側から近距離物体側へのフォーカシングを行う。
【００４３】
第３レンズ群Ｇ３は、両凸形状の第７レンズ素子Ｌ７のみで構成される。
【００４４】
図３は、実施の形態２に係るインナーフォーカスレンズの無限遠合焦状態のレンズ配置図である。
【００４５】
実施の形態２に係るインナーフォーカスレンズは、物体側から像側へと順に、正のパワーを有する第１レンズ群Ｇ１と、負のパワーを有する第２レンズ群Ｇ２と、正のパワーを有する第３レンズ群Ｇ３とからなる。実施の形態２に係るインナーフォーカスレンズは、前記条件（１）〜（６）を満足する。
【００４６】
第１レンズ群Ｇ１は、物体側から像側へと順に、物体側に凸面を向けた正メニスカス形状の第１レンズ素子Ｌ１と、像側に強い曲率の凹面を有する負メニスカス形状の第２レンズ素子Ｌ２と、開口絞りＡと、物体側に強い曲率の凹面を有する両凹形状の第３レンズ素子Ｌ３と、両凸形状の第４レンズ素子Ｌ４と、両凸形状の第５レンズ素子Ｌ５とで構成される。該第１レンズ群Ｇ１では、第２レンズ素子Ｌ２と第３レンズ素子Ｌ３との間が、両凸形状の空気レンズである。
【００４７】
第２レンズ群Ｇ２は、像側に強い曲率の凹面を有する両凹形状の第６レンズ素子Ｌ６のみで構成される。該第２レンズ群Ｇ２を光軸に沿って像側へ移動させることにより、無限遠物体側から近距離物体側へのフォーカシングを行う。
【００４８】
第３レンズ群Ｇ３は、両凸形状の第７レンズ素子Ｌ７のみで構成される。
【００４９】
図５は、実施の形態３に係るインナーフォーカスレンズの無限遠合焦状態のレンズ配置図である。
【００５０】
実施の形態３に係るインナーフォーカスレンズは、物体側から像側へと順に、正のパワーを有する第１レンズ群Ｇ１と、負のパワーを有する第２レンズ群Ｇ２と、正のパワーを有する第３レンズ群Ｇ３とからなる。実施の形態３に係るインナーフォーカスレンズは、前記条件（１）〜（６）を満足する。
【００５１】
第１レンズ群Ｇ１は、物体側から像側へと順に、像側に強い曲率の凹面を有する負メニスカス形状の第１レンズ素子Ｌ１と、物体側に凸面を向けた負メニスカス形状の第２レンズ素子Ｌ２と、両凸形状の第３レンズ素子Ｌ３と、物体側に凸面を向けた正メニスカス形状の第４レンズ素子Ｌ４と、像側に強い曲率の凹面を有する負メニスカス形状の第５レンズ素子Ｌ５と、開口絞りＡと、物体側に強い曲率の凹面を有する両凹形状の第６レンズ素子Ｌ６と両凸形状の第７レンズ素子Ｌ７との接合レンズ素子と、両凸形状の第８レンズ素子Ｌ８とで構成される。該第１レンズ群Ｇ１では、第５レンズ素子Ｌ５と第６レンズ素子Ｌ６との間が、両凸形状の空気レンズである。
【００５２】
第２レンズ群Ｇ２は、像側に強い曲率の凹面を有する負メニスカス形状の第９レンズ素子Ｌ９のみで構成される。該第２レンズ群Ｇ２を光軸に沿って像側へ移動させることにより、無限遠物体側から近距離物体側へのフォーカシングを行う。
【００５３】
第３レンズ群Ｇ３は、両凸形状の第１０レンズ素子Ｌ１０のみで構成される。
【００５４】
図７は、実施の形態４に係るインナーフォーカスレンズの無限遠合焦状態のレンズ配置図である。
【００５５】
実施の形態４に係るインナーフォーカスレンズは、物体側から像側へと順に、正のパワーを有する第１レンズ群Ｇ１と、負のパワーを有する第２レンズ群Ｇ２と、正のパワーを有する第３レンズ群Ｇ３とからなる。実施の形態４に係るインナーフォーカスレンズは、前記条件（１）〜（６）を満足する。
【００５６】
第１レンズ群Ｇ１は、物体側から像側へと順に、像側に強い曲率の凹面を有する負メニスカス形状の第１レンズ素子Ｌ１と、両凸形状の第２レンズ素子Ｌ２と、像側に強い曲率の凹面を有する負メニスカス形状の第３レンズ素子Ｌ３と、開口絞りＡと、物体側に強い曲率の凹面を有する両凹形状の第４レンズ素子Ｌ４と両凸形状の第５レンズ素子Ｌ５との接合レンズ素子と、両凸形状の第６レンズ素子Ｌ６とで構成される。該第１レンズ群Ｇ１では、第３レンズ素子Ｌ３と第４レンズ素子Ｌ４との間が、両凸形状の空気レンズである。
【００５７】
第２レンズ群Ｇ２は、像側に強い曲率の凹面を有する負メニスカス形状の第７レンズ素子Ｌ７のみで構成される。該第２レンズ群Ｇ２を光軸に沿って像側へ移動させることにより、無限遠物体側から近距離物体側へのフォーカシングを行う。
【００５８】
第３レンズ群Ｇ３は、両凸形状の第８レンズ素子Ｌ８のみで構成される。
【００５９】
図９は、実施の形態５に係るインナーフォーカスレンズの無限遠合焦状態のレンズ配置図である。
【００６０】
実施の形態５に係るインナーフォーカスレンズは、物体側から像側へと順に、正のパワーを有する第１レンズ群Ｇ１と、負のパワーを有する第２レンズ群Ｇ２と、正のパワーを有する第３レンズ群Ｇ３とからなる。実施の形態５に係るインナーフォーカスレンズは、前記条件（１）〜（６）を満足する。
【００６１】
第１レンズ群Ｇ１は、物体側から像側へと順に、物体側に凸面を向けた正メニスカス形状の第１レンズ素子Ｌ１と、像側に強い曲率の凹面を有する負メニスカス形状の第２レンズ素子Ｌ２と、開口絞りＡと、物体側に強い曲率の凹面を有する両凹形状の第３レンズ素子Ｌ３と、両凸形状の第４レンズ素子Ｌ４と、物体側に凸面を向けた正メニスカス形状の第５レンズ素子Ｌ５とで構成される。該第１レンズ群Ｇ１では、第２レンズ素子Ｌ２と第３レンズ素子Ｌ３との間が、両凸形状の空気レンズである。
【００６２】
第２レンズ群Ｇ２は、像側に強い曲率の凹面を有する両凹形状の第６レンズ素子Ｌ６のみで構成される。該第２レンズ群Ｇ２を光軸に沿って像側へ移動させることにより、無限遠物体側から近距離物体側へのフォーカシングを行う。
【００６３】
第３レンズ群Ｇ３は、両凸形状の第７レンズ素子Ｌ７のみで構成される。
【００６４】
図１１は、実施の形態６に係るインナーフォーカスレンズの無限遠合焦状態のレンズ配置図である。
【００６５】
実施の形態６に係るインナーフォーカスレンズは、物体側から像側へと順に、正のパワーを有する第１レンズ群Ｇ１と、負のパワーを有する第２レンズ群Ｇ２と、正のパワーを有する第３レンズ群Ｇ３とからなる。実施の形態６に係るインナーフォーカスレンズは、前記条件（１）〜（６）を満足する。
【００６６】
第１レンズ群Ｇ１は、物体側から像側へと順に、物体側に凸面を向けた正メニスカス形状の第１レンズ素子Ｌ１と、像側に強い曲率の凹面を有する負メニスカス形状の第２レンズ素子Ｌ２と、開口絞りＡと、物体側に強い曲率の凹面を有する負メニスカス形状の第３レンズ素子Ｌ３と像側に凸面を向けた正メニスカス形状の第４レンズ素子Ｌ４との接合レンズ素子と、両凸形状の第５レンズ素子Ｌ５とで構成される。該第１レンズ群Ｇ１では、第２レンズ素子Ｌ２と第３レンズ素子Ｌ３との間が、両凸形状の空気レンズである。
【００６７】
第２レンズ群Ｇ２は、像側に強い曲率の凹面を有する負メニスカス形状の第６レンズ素子Ｌ６のみで構成される。該第２レンズ群Ｇ２を光軸に沿って像側へ移動させることにより、無限遠物体側から近距離物体側へのフォーカシングを行う。
【００６８】
第３レンズ群Ｇ３は、両凸形状の第７レンズ素子Ｌ７のみで構成される。
【００６９】
（実施の形態７）
図１３は、実施の形態７に係るレンズ交換式デジタルカメラシステムの概略構成図である。
【００７０】
本実施の形態７に係るレンズ交換式デジタルカメラシステム１００は、カメラ本体１０１と、カメラ本体１０１に着脱自在に接続される交換レンズ装置２０１とを備える。
【００７１】
カメラ本体１０１は、交換レンズ装置２０１のインナーフォーカスレンズ２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜６いずれかに係るインナーフォーカスレンズ２０２と、インナーフォーカスレンズ２０２を保持する鏡筒２０３と、カメラ本体のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１３においては、インナーフォーカスレンズ２０２として実施の形態１に係るインナーフォーカスレンズを用いた場合を図示している。
【００７２】
本実施の形態７では、実施の形態１〜６いずれかに係るインナーフォーカスレンズ２０２を用いているので、コンパクトで結像性能に優れた交換レンズ装置を低コストで実現することができる。また、本実施の形態７に係るカメラシステム１００全体の小型化及び低コスト化も達成することができる。
【００７３】
以下、実施の形態１〜６に係るインナーフォーカスレンズを具体的に実施した数値実施例を説明する。なお、各数値実施例において、表中の長さの単位はすべて「ｍｍ」であり、画角の単位はすべて「°」である。各数値実施例において、「面番号」は物体側から数えてｉ番目の面であることを、「ｒ」は物体側からｉ番目の面の近軸曲率半径を、「ｄ」は第ｉ面と第ｉ＋１面との間の軸上面間隔を、「ｎｄ」は物体側に第ｉ面を有する硝材のｄ線（波長：５８７．６ｎｍ）に対する屈折率を、「ｖｄ」は物体側に第ｉ面を有する硝材のｄ線に対するアッベ数をそれぞれ示す。「可変」は軸上面間隔が可変間隔であることを示す。また、面番号ｉの後に「＊」を付した面は非球面であり、非球面形状は次式で定義している。
【数１】
2012226309.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００７４】
図２、４、６、８、１０及び１２は、各々数値実施例１〜６に係るインナーフォーカスレンズの無限遠合焦状態の縦収差図である。各縦収差図は、左側から順に、球面収差、非点収差、歪曲収差を示す。球面収差図において、縦軸に開放Ｆナンバーとの割合、横軸にデフォーカスをとり、実線はｄ線、長破線はＣ線（波長：６５６．３ｎｍ）、短破線はＦ線（波長：４８６．１ｎｍ）に対する球面収差をそれぞれ表わす。非点収差図において、縦軸は像高、横軸はフォーカスで、実線はサジタル像面、破線はメリディオナル像面の非点収差を表わす。歪曲収差図において、縦軸は像高で、歪曲収差を％で表わす。
【００７５】
数値実施例１〜６に係るインナーフォーカスレンズのレンズデータを、以下の表１〜６にそれぞれ示す。
【００７６】
表  １（数値実施例１）
面データ
面番号         r           d           nd         vd        有効径
物面             ∞
1         18.74540     4.20230     1.88300     40.8      10.699
2         68.34600     0.58830                            9.850
3         39.42090     1.20000     1.51198     54.6       8.840
4         10.02710     5.97820                            7.316
5(絞り)           ∞     5.64000                            6.953 
6        -11.03380     1.00000     1.80518     25.5       7.078
7         34.67830     6.54960     1.88300     40.8       8.805
8        -17.84130     0.10000                            9.665
9         37.38830     4.20550     1.80139     45.4      10.100
10*       -32.91630        可変                           10.092 
11*      -126.83080     1.00000     1.68893     31.2       9.000
12*        27.17400        可変                            9.092 
13        114.19150     3.92620     1.83480     42.7      10.974
14        -33.79120        (BF)                           11.194
像面             ∞
非球面データ
第10面
K= 0.00000E+00, A4= 2.11487E-05, A6=-4.74672E-08, A8= 2.19448E-10
A10=-5.03837E-13, A12= 0.00000E+00 
第11面
K= 0.00000E+00, A4= 3.62979E-05, A6=-4.48579E-07, A8= 2.76766E-09
A10=-7.32635E-12, A12= 2.28019E-15 
第12面
K= 0.00000E+00, A4= 4.29240E-05, A6=-4.05961E-07, A8= 2.90164E-09
A10=-1.27839E-11, A12= 3.16035E-14 
各種データ
焦点距離      25.6692
Ｆナンバー     1.44319
画角        22.9335
像高        10.8150
レンズ全長     60.5607
ＢＦ       18.03332
間隔データ
d0              ∞       938       238
d10          1.9100    2.5773    4.5173
d12          6.2273    5.5599    3.6200
単レンズデータ
レンズ     始面     焦点距離
1         1       28.1345
2         3      -26.6341
3         6      -10.2953
4         7       14.1701
5         9       22.4406
6        11      -32.3981
7        13       31.6167
レンズ群データ
群   始面    焦点距離  レンズ構成長    前側主点位置  後側主点位置
1      1    23.59025    29.46390        28.45049      28.34207
2     11   -32.39815     1.00000         0.48633       0.89580
3     13    31.61672     3.92620         1.67140       3.43160
レンズ群倍率
群   始面         ∞       1000        300
1      1    0.00000   -0.02502   -0.09714
2     11    2.62843    2.61210    2.56276
3     13    0.41398    0.41324    0.41140
【００７７】
表  ２（数値実施例２）
面データ
面番号         r           d           nd          vd        有効径
物面             ∞
1         20.30060     3.93000     1.83481      42.7       9.322 
2         89.46490     0.15000                             8.444 
3         16.07300     1.04510     1.50846      56.3       7.240 
4          9.72270     5.52680                             6.535 
5(絞り)           ∞     4.53410                             6.137
6        -11.09480     0.70000     1.78045      24.1       5.906 
7         60.99120     0.92000                             6.515 
8         85.13520     3.77750     1.88300      40.8       6.981 
9        -15.84300     0.10000                             7.345 
10         56.48310     2.80000     1.88300      40.8       7.245 
11        -56.03340        可変                             7.100
12       -455.80430     0.80530     1.67347      28.7       6.820 
13         18.01680        可変                             6.994
14         50.85540     3.90510     1.88300      40.8      10.297 
15        -41.00730        (BF)                            10.493 
像面             ∞
各種データ
焦点距離      30.0362
Ｆナンバー     1.85425
画角        19.4978
像高        10.8150
レンズ全長     55.0786
ＢＦ       18.40474
間隔データ
d0               ∞  943.5114  279.7570
d11          1.5000    2.3437    4.3800 
d13          6.9800    6.1363    4.1000 
単レンズデータ
レンズ     始面     焦点距離
1         1       30.6625
2         3      -51.2410
3         6      -11.9770
4         8       15.3973
5        10       32.2319
6        12      -25.7174
7        14       26.2327
レンズ群データ
群   始面    焦点距離  レンズ構成長    前側主点位置  後側主点位置
1      1    27.35203    23.48350        20.73736      17.66640
2     12   -25.71744     0.80530         0.46260       0.78701
3     14    26.23271     3.90510         1.17145       2.96050
レンズ群倍率
群   始面         ∞       1000        330
1      1    0.00000   -0.02919   -0.10014
2     12    4.18502    4.15448    4.09114
3     14    0.26240    0.26224    0.26118
【００７８】
表  ３（数値実施例３）
面データ
面番号         r           d           nd          vd        有効径
物面             ∞
1         28.87270     1.20000     1.83481      42.7      11.644 
2         11.20020     5.74330                             9.257 
3         39.14190     1.20000     1.48749      70.4       8.888 
4         15.81720     9.22000                             8.353 
5         40.19020     5.80000     1.48749      70.4       8.197 
6        -17.36590     0.25000                             7.950 
7         16.99630     2.23440     1.92286      20.9       6.880 
8         23.33040     0.15000                             6.473 
9         14.27180     0.90000     1.48749      70.4       6.343 
10          9.49870     5.60000                             5.928 
11(絞り)           ∞     4.14220                             5.742
12        -13.20030     0.77000     1.90348      23.3       5.663 
13         54.16530     3.55500     1.83481      42.7       6.183 
14        -16.71490     0.15000                             6.613 
15         46.74820     2.98610     1.83481      42.7       6.798 
16        -37.73570        可変                             6.800
17         29.04120     0.80000     1.84666      23.8       6.940 
18         15.15520        可変                             6.888
19         27.88570     3.81290     1.71900      53.1       9.033 
20        -71.11320        (BF)                             9.154 
像面             ∞
各種データ
焦点距離      12.2982
Ｆナンバー     1.85546
画角        41.3302
像高         9.6300
レンズ全長     71.7778
ＢＦ       16.55704
間隔データ
d0               ∞  926.8299   91.6668
d16          1.5100    1.7487    3.7557 
d18          5.1969    4.9581    2.9511 
単レンズデータ
レンズ     始面     焦点距離
1         1      -22.6181
2         3      -55.3828
3         5       25.7244
4         7       58.0135
5         9      -62.0982
6        12      -11.6842
7        13       15.6581
8        15       25.4212
9        17      -38.4517
10        19       28.3157
レンズ群データ
群   始面    焦点距離  レンズ構成長    前側主点位置  後側主点位置
1      1    13.96609    43.90100        22.18150      55.19111
2     17   -38.45172     0.80000         0.93061       1.28564
3     19    28.31571     3.81290         0.63502       2.19350
レンズ群倍率
群   始面         ∞       1000        160
1      1    0.00000   -0.01494   -0.13983
2     17    2.45916    2.45444    2.41394
3     19    0.35808    0.35782    0.35580
【００７９】
表  ４（数値実施例４）
面データ
面番号         r           d           nd          vd        有効径
物面             ∞
1        417.26590     1.40670     1.48749      70.4      14.073 
2         15.95220    16.89000                            11.552 
3         25.41240     4.20000     1.79015      47.8       9.340 
4        -66.89890     0.25000                             8.860 
5         13.20950     1.20000     1.48749      70.4       6.900 
6          9.13610     5.41630                             6.179 
7(絞り)           ∞     4.71000                             5.695
8         -9.53450     0.85000     1.63102      31.7       5.619 
9         43.30240     4.48060     1.73601      53.8       6.438 
10        -14.10590     0.15000                             6.960 
11        143.14960     2.84160     1.83481      42.7       7.000 
12        -34.83740        可変                             7.136
13         33.34540     0.77000     1.90426      22.5       7.100 
14         16.68380        可変                             7.074
15         26.55040     4.38840     1.77250      49.6       9.700 
16       -106.12200        (BF)                             9.791 
像面             ∞
各種データ
焦点距離      16.4891
Ｆナンバー     1.85519
画角        33.2665
像高         9.8700
レンズ全長     71.9424
ＢＦ       17.30921
間隔データ
d0               ∞  926.6400  151.9306
d12          1.5260    1.9488    4.0015 
d14          5.5536    5.1307    3.0780 
単レンズデータ
レンズ     始面     焦点距離
1         1      -34.0630
2         3       23.7853
3         5      -67.2696
4         8      -12.3066
5         9       14.9510
6        11       33.8085
7        13      -37.7534
8        15       27.8935
レンズ群データ
群   始面    焦点距離  レンズ構成長    前側主点位置  後側主点位置
1      1    19.06111    42.39520        27.90038      50.02446
2     13   -37.75338     0.77000         0.82741       1.18398
3     15    27.89354     4.38840         0.50271       2.37907
レンズ群倍率
群   始面         ∞       1000        220
1      1    0.00000   -0.02038   -0.11856
2     13    2.81397    2.80677    2.76947
3     15    0.30742    0.30691    0.30475
【００８０】
表  ５（数値実施例５）
面データ
面番号         r           d           nd          vd        有効径
物面             ∞
1         31.39110     8.70000     1.86727      41.4      14.500 
2        106.05050     0.30000                            12.600 
3         22.34120     1.96000     1.60227      34.4      11.500 
4         15.19480    11.12020                            10.300 
5(絞り)           ∞     5.75000                             9.031
6        -18.20990     1.15000     1.79315      23.8       8.628 
7         45.78640     1.49080                             9.366 
8         63.05850     6.45400     1.88300      40.8      10.130 
9        -24.27750     0.10000                            10.714 
10         49.19470     4.90000     1.88300      40.8      10.434 
11       1674.43050        可変                             9.900
12       -220.09700     0.98000     1.60463      34.1       8.500 
13         23.59130        可変                             8.602
14         78.49360     3.29660     1.88300      40.8      11.200 
15        -51.56840        (BF)                            11.318 
像面             ∞
各種データ
焦点距離      50.0000
Ｆナンバー     1.85406
画角        12.0593
像高        10.8150
レンズ全長     85.9781
ＢＦ       25.61839
間隔データ
d0              ∞       1913       461 
d11          2.5000    3.6397    7.2784 
d13         11.6581   10.5183    6.8796 
単レンズデータ
レンズ     始面     焦点距離
1         1       48.7743
2         3      -87.9381
3         6      -16.2965
4         8       20.5641
5        10       57.3185
6        12      -35.1873
7        14       35.6697
レンズ群データ
群   始面    焦点距離  レンズ構成長    前側主点位置  後側主点位置
1      1    45.23426    41.92500        36.20086      26.58546
2     12   -35.18732     0.98000         0.55077       0.92096
3     14    35.66971     3.29660         1.06928       2.59411
レンズ群倍率
群   始面         ∞       2000        550
1      1    0.00000   -0.02376   -0.10004
2     12    4.21740    4.18489    4.09314
3     14    0.26209    0.26210    0.26131
【００８１】
表  ６（数値実施例６）
面データ
面番号         r           d           nd          vd       有効径
物面             ∞
1         20.90960     3.48760     1.83481      42.7      8.989
2         73.31670     0.15000                            8.134
3         19.60710     1.00000     1.48749      70.4      7.220
4          9.24460     5.38590                            6.351
5(絞り)           ∞     5.47890                            5.884 
6         -8.77660     0.72000     1.74463      25.4      5.964
7       -133.00140     4.32380     1.88300      40.8      7.039
8        -12.70510     0.15000                            7.704
9         92.02180     2.98800     1.83481      42.7      7.785
10        -34.07470        可変                            7.761 
11        109.12330     0.80240     1.69419      27.6      6.850
12         19.19240        可変                            6.984 
13         30.68590     4.12080     1.77250      49.6     10.263
14        -88.81590        (BF)                           10.374
像面             ∞
各種データ
焦点距離      26.2626
Ｆナンバー     1.85576
画角        22.9788
像高        10.8150
レンズ全長     56.6628
ＢＦ       19.84693
間隔データ
d0               ∞  941.9300  242.7550
d10          1.5100    2.3180    4.6835 
d12          6.6985    5.8904    3.5250 
単レンズデータ
レンズ     始面     焦点距離
1         1       34.0108
2         3      -37.0534
3         6      -12.6505
4         7       15.6445
5         9       30.1120
6        11      -33.6703
7        13       29.9732
レンズ群データ
群   始面    焦点距離  レンズ構成長    前側主点位置  後側主点位置
1      1    26.78155    23.68420        22.45767      23.06921
2     11   -33.67030     0.80240         0.57680       0.90385
3     13    29.97319     4.12080         0.60609       2.36656
レンズ群倍率
群   始面        ∞        1000        300
1      1    0.00000   -0.02856   -0.11232
2     11    3.51078    3.49510    3.45130
3     13    0.27932    0.27859    0.27630
【００８２】
以下の表７に、各数値実施例のインナーフォーカスレンズにおける各条件の対応値を示す。
【００８３】
表  ７（条件の対応値）
【表１】
2012226309.tif 000004
【産業上の利用可能性】
【００８４】
本発明に係るインナーフォーカスレンズは、デジタルスチルカメラ、デジタルビデオカメラ、スマートフォン等の携帯情報端末のカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【符号の説明】
【００８５】
Ｇ１    第１レンズ群
Ｇ２    第２レンズ群
Ｇ３    第３レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  インナーフォーカスレンズ
２０３  鏡筒
２０４  レンズマウント部
【図１】
2012226309.tif 000005
【図２】
2012226309.tif 000006
【図３】
2012226309.tif 000007
【図４】
2012226309.tif 000008
【図５】
2012226309.tif 000009
【図６】
2012226309.tif 000010
【図７】
2012226309.tif 000011
【図８】
2012226309.tif 000012
【図９】
2012226309.tif 000013
【図１０】
2012226309.tif 000014
【図１１】
2012226309.tif 000015
【図１２】
2012226309.tif 000016
【図１３】
2012226309.tif 000017